(57)【要約】【課題】  製造コストを低減することができる熱線センサ付き自動スイッチを提供する。【解決手段】  フランジ部１１との間に造営材を挟持する挟み片ＦＰと、軸がフランジ部１１の後面に交差する形でハウジングに対して軸回りに回転自在に保持され挟み片ＦＰに螺合した引締めねじＦＳとを備える。引締めねじＦＳを回転させたときに挟み片ＦＰとフランジ部１１との間の距離が変化するように挟み片ＦＰのハウジングに対する回転を規制するガイド部１４とハウジングとを合成樹脂成形品として一体に形成した。ガイド部１４を別体の部品として形成する場合に比べて部品点数が減少し、またガイド部１４を取り付ける工程が不要となるから、製造コストを低減することができる。【選択図】図１
2005135614.tif 000002
【特許請求の範囲】
【請求項１】
人体から発せられる熱線を検知する熱線センサと、熱線センサの出力に応じて電源から負荷への給電を入切するスイッチ部と、後面が造営材の表面に当接するフランジ部とフランジ部の後面側に突出し内部に熱線センサとスイッチ部とが収納され造営材に設けられた取付穴に収納される収納部とを有するハウジングと、フランジ部との間に造営材を挟持する挟み片と、軸がフランジ部の後面に交差する形でハウジングに対して軸回りに回転自在に保持され挟み片に螺合した引締めねじと、引締めねじを回転させたときに挟み片とフランジ部との間の距離が変化するように挟み片のハウジングに対する回転を規制するガイド部とを備え、ガイド部とハウジングとを合成樹脂成形品として一体に形成したことを特徴とする熱線センサ付き自動スイッチ。
【請求項２】
施工面に埋込配設される埋込ボックスにハウジングの収納部を収納した状態で埋込ボックスにハウジングを固定するためのボックス取付手段をハウジングに設けるとともに、埋込ボックスにハウジングを取り付けたときに埋込ボックスに収納される位置に、挟み片と引締めねじとガイド部とを配置したことを特徴とする請求項１記載の熱線センサ付き自動スイッチ。
【発明の詳細な説明】
【技術分野】
【０００１】
本発明は、人体から放射される熱線を検知することにより人の存否を検出し、負荷を制御する熱線センサ付き自動スイッチに関するものである。
【背景技術】
【０００２】
従来から、人体から放射される熱線を検知することにより人の存否を検出する熱線センサを備え、熱線センサの出力に応じて負荷を制御する熱線センサ付き自動スイッチが提供されている（例えば、特許文献１参照）。この種の熱線センサ付き自動スイッチは、例えば負荷を照明とした場合、室内に人が入ったときに照明をオンし、人が室外に退出したときに照明をオフするといった制御に用いられる。
【０００３】
この種の熱線センサ付き自動スイッチとして、例えば図４に示すものが提供されている。この熱線センサ付き自動スイッチは、天井に取り付けられるものであって、天井面に形成される取付穴（図示せず）の周部下面に当接するフランジ部１１とフランジ部１１の図４での上面中央部に突設された筒部１２とを有するボディ１と、下面が開放された有底筒状であって筒部１２に結合して閉塞し収納部を形成するカバー２とからなるハウジングを備える。筒部１２の上端には４個の組立片１２ａが突設され、組立片１２ａに貫設した組立穴１２ｂに対してカバー２の下端部の外周面に突設した組立突起２１を係合させることによって、ボディ１とカバー２とは結合する。
【０００４】
ハウジングには、熱線センサＴＰが収納された球状の回転体７と、熱線センサＴＰの出力に応じてオンオフする図示しないスイッチ部が実装された第１のプリント配線板Ｐ１と、スイッチ部の動作を設定するための切替スイッチ部（図示せず）や熱線センサＴＰの感度を設定するための可変抵抗（図示せず）など、手操作されるハンドルを有する素子が実装された第２のプリント配線板Ｐ２とが収納されている。ここで、第２のプリント基板Ｐ２は回転体の上側において実装面を下方へ向けて固定され、ボディ１の下方からハンドルを操作することができるようになっている。また、第１のプリント配線板Ｐ１は第２のプリント基板Ｐ２の上側において実装面を上方へ向けて固定されている。第１のプリント配線板Ｐ１には、スイッチ部のほか、それぞれスイッチ部と電線（図示せず）とを接続するための３個の端子部６が実装されている。端子部６はいわゆる速結端子であって、互いに隣接してそれぞれ第１のプリント配線板Ｐ１に実装されスイッチ部に電気的に接続された２個の端子板６１と、カバー２に設けられた電線挿通穴２２から挿入された電線をそれぞれ端子板６１との間に鎖錠する２個の鎖錠ばね６２と、カバー２に設けられた解除穴２３から挿入されたマイナスドライバのような治具に押圧されることにより２個の鎖錠ばね６２を同時に押圧して鎖錠を解除する１個の解除釦６３とからなる。１個の端子部６に電源側の電線を接続し、別の１個の端子部６に負荷側の電線を接続すれば、電源から負荷への給電をスイッチ部によって入切することができる。なお、残る１個の端子部６には、従来周知の熱線センサの子器（図示せず）が接続される。
【０００５】
回転体７は、半球形状であって検知範囲からの熱線を熱線センサの受光面に集光する集光レンズ７１と、熱線センサＴＰが実装された第３のプリント配線板Ｐ３と、半球形状であって第３のプリント配線板Ｐ３が内側に取り付けられ集光レンズ７１に結合して球形を形成する回転枠７２と、集光レンズ７１と回転枠７２との結合部を覆う環状の保持枠７３とからなる。フランジ部１１の中央部には、集光レンズ７１を露出させる窓穴（図示せず）が上下に貫設されている。また、回転体７の上側には、両端が取付ねじＳＣによってフランジ部１１にねじ止めされた押さえ金具ＨＰの中間部が位置している。押さえ金具ＨＰと回転体７との間には、回転体７をフランジ部１１に押し付けるコイルばねＳＰが挿入されている。さらに、回転枠７２の外面の開口を挟んだ２箇所にはそれぞれ円柱形状の軸部７２ａが突設され、この軸部７２ａがフランジ部１１の上面の窓穴を挟んだ２箇所に形成され窓穴に連通した凹部（図示せず）に収納されることにより、回転体７は軸部７２ａの回りに回転可能となっている。回転体７を回転させて集光レンズ７１の向きを変えることにより、検知範囲を変化させることができるのである。
【０００６】
また、フランジ部１１の上面の筒部１２を挟んだ両側には、天井の造営材をフランジ部１１との間に挟んでハウジングを固定するためのはさみ金具Ｆが取り付けられる。はさみ金具Ｆは、一側面が筒部１２に向けられた上下に長い直方体形状であって筒部１２から離れた側の一側面が開放されたガイド部ＦＨと、ガイド部ＦＨの長手方向の両端を貫通した引締めねじＦＳと、一部がガイド部ＦＨに収納されガイド部ＦＨ内部で引締めねじＦＳに螺合した挟み片ＦＰとを備える。ガイド部ＦＨの開口面に隣接する両側面の上端部には、開口に連通した切り欠きＦＨａが設けられている。挟み片ＦＰは、ガイド部ＦＨの上端に位置しているときに切り欠きＦＨａに挿通可能となっており、挟み片ＦＰが切り欠きＦＨａに挿通された状態から引締めねじＦＳを回すと、挟み片ＦＰが切り欠きＦＨａから出てガイド部ＦＨの開口面に沿って下方へ移動するようになっている。引締めねじＦＳは、フランジ部１１に設けられた貫通穴１１ｃからドライバを挿入して回転させることができるようになっており、フランジ部１１の上面を天井面に当接させた状態で引締めねじＦＳを回転させると、挟み片ＦＰが切り欠きＦＨａから出てフランジ部１１に近付く方向に移動し、挟み片ＦＰとフランジ部１１との間に天井の造営材を挟持することができる。また、フランジ部１１のはさみ金具Ｆが取り付けられる部位の近傍には、天井にフランジ部１１を直付けするためのねじや、天井面に埋込配設される埋込ボックスに結合するねじを挿通するためのボックス取付手段としてのねじ挿通穴１１ｄが貫設されている。さらに、ハウジングには、天井面との間でフランジ部１１を覆う化粧プレート５が取り付けられる。化粧プレート５には、回転体７を露出させる貫通穴５１を貫設してある。
【特許文献１】特開２００１−１５７３４０号公報（第２頁、第１１−１３図）
【発明の開示】
【発明が解決しようとする課題】
【０００７】
上記従来例では、ガイド部ＦＨをボディ１とは別体に形成していたため、部品点数が増加するうえに、ガイド部ＦＨをボディ１に取り付ける工程が必要となって製造コストが増大していた。
【０００８】
本発明は上記事由に鑑みて為されたものであり、その目的は、製造コストを低減することができる熱線センサ付き自動スイッチを提供することにある。
【課題を解決するための手段】
【０００９】
請求項１の発明は、人体から発せられる熱線を検知する熱線センサと、熱線センサの出力に応じて電源から負荷への給電を入切するスイッチ部と、後面が造営材の表面に当接するフランジ部とフランジ部の後面側に突出し内部に熱線センサとスイッチ部とが収納され造営材に設けられた取付穴に収納される収納部とを有するハウジングと、フランジ部との間に造営材を挟持する挟み片と、軸がフランジ部の後面に交差する形でハウジングに対して軸回りに回転自在に保持され挟み片に螺合した引締めねじと、引締めねじを回転させたときに挟み片とフランジ部との間の距離が変化するように挟み片のハウジングに対する回転を規制するガイド部とを備え、ガイド部とハウジングとを合成樹脂成形品として一体に形成したことを特徴とする。
【００１０】
この構成によれば、ガイド部とハウジングとを別体に形成する場合に比べて部品点数が減少し、またガイド部をハウジングに取り付ける工程も不要となるから、製造コストを低減することができる。
【００１１】
請求項２の発明は、請求項１の発明において、施工面に埋込配設される埋込ボックスにハウジングの収納部を収納した状態で埋込ボックスにハウジングを固定するためのボックス取付手段をハウジングに設けるとともに、埋込ボックスにハウジングを取り付けたときに埋込ボックスに収納される位置に、挟み片と引締めねじとガイド部とを配置したことを特徴とする。
【００１２】
この構成によれば、埋込ボックスを用いた配設も可能となる。
【発明の効果】
【００１３】
引締めねじを回転させたときに挟み片とフランジ部との間の距離が変化するように挟み片のハウジングに対する回転を規制するガイド部とハウジングとを合成樹脂成形品として一体に形成したので、ガイド部とハウジングとを別体に形成する場合に比べて部品点数が減少し、またガイド部をハウジングに取り付ける工程も不要となるから、製造コストを低減することができる。
【発明を実施するための最良の形態】
【００１４】
以下、本発明を実施するための最良の形態について、図面を参照しながら説明する。
【００１５】
なお、本実施形態の基本構成は従来例と共通であるので、共通する部分については同じ符号を付して説明を省略する。
【００１６】
本実施形態は、図１に示すように、はさみ金具Ｆのガイド部ＦＨと同様の構造を有するガイド部１４とボディ１とを合成樹脂成形品として一体に形成したことを特徴とする。
【００１７】
具体的に説明すると、ガイド部１４は、一側面が筒部１２に向けられ、筒部１２から離れた側の別の一側面が開放された上下に長い直方体形状に形成されている。ガイド部１４の内側には、引締めねじＦＳが、軸をガイド部１４の長手方向に合わせて軸回りに回転自在に保持されている。引締めねじＦＳには、挟み片ＦＰがガイド部１４の内部で螺合している。ガイド部１４の開口面に隣接する両側面の上端部には、開口に連通した切り欠き１４ａが設けられている。挟み片ＦＰは、ガイド部１４の上端に位置しているときに切り欠き１４ａに挿通可能となっており、挟み片ＦＰが切り欠き１４ａに挿通された状態から引締めねじＦＳを回すと、挟み片ＦＰが切り欠き１４ａから出てガイド部１４の開口面に沿って下方へ移動するようになっている。引締めねじＦＳは、フランジ部１１に設けられた貫通穴１１ｃからドライバを挿入して回転させることができるようになっており、フランジ部１１の上面を天井面に当接させた状態で引締めねじＦＳを回転させると、挟み片ＦＰが切り欠き１４ａから出てフランジ部１１に近付く方向に移動し、挟み片ＦＰとフランジ部１１との間に天井の造営材を挟持することができる。
【００１８】
また、熱線センサＴＰは第２のプリント配線板Ｐ２に実装され、回転体７に代えてレンズブロック３を備える。レンズブロック３は、半球形状に形成された集光レンズ３１と、集光レンズ３１によって一端が閉塞される筒状の回転枠３２とからなる。回転枠３２の外面の径方向の両端には、円柱形状の軸突起３２ａを突設してある。さらに、ボディ１の筒部１２の内側にはばね保持筒部１３が突設され、ばね保持筒部１３には、板ばねからなる押し付けばね４が保持されている。レンズブロック３は、押し付けばね４によって図１の上側からボディ１に押し付けられ、軸突起３２ａを支点としてボディ１に対して回転可能となっている。また、フランジ部１１には、化粧カバー５に設けられた４個の係合爪５１がそれぞれ係合する４個の係合穴１１ｅ（図２参照）を貫設してある。
【００１９】
さらに、本実施形態のハウジングは、図２に示すように、天井への埋込配線用の埋込ボックスＢに取り付け可能となっている。具体的に説明すると、埋込ボックスＢは有底円筒形状に形成され、径方向の両端部には、他の部位よりも厚肉に形成され内側に突出した厚肉部Ｂ１が設けられ、厚肉部Ｂ１には、埋込ボックスＢの開口面側へ開口しボディ１のねじ挿通穴１１ｄに挿通されたねじが螺合するねじ穴Ｂ２が設けられている。
【００２０】
ここで、ハウジングを埋込ボックスＢに取り付ける際、従来は、邪魔になるはさみ金具Ｆをハウジングから取り外していたが、本実施形態では、図３に示すように、ガイド部１４を埋込ボックスＢに収納される位置に厚肉部Ｂ１を避けて形成するとともに、挟み片ＦＰを埋込ボックスＢに収納される位置まで回転可能とすることにより、ガイド部１４とボディ１とを一体に形成しながらも、埋込配線用の埋込ボックスＢを用いた配設を可能としている。その他の構成は、従来例と同様である。
【００２１】
上記構成によれば、ガイド部１４とボディ１とを合成樹脂成形品として一体に形成したことにより、部品点数が減少し、且つガイド部ＦＨを取り付ける工程が不要となるから、製造コストを低減することができる。
【図面の簡単な説明】
【００２２】
【図１】本発明の実施形態を示す分解斜視図である。
【図２】本発明の実施形態と埋込ボックスとを示す斜視図である。
【図３】本発明の実施形態を埋込ボックスに取り付けた状態を示す断面図である。
【図４】従来例を示す分解斜視図である。
【符号の説明】
【００２３】
１１  フランジ部
１４  ガイド部
Ｂ  埋込ボックス
ＦＰ  挟み片
ＦＳ  引締めねじ
ＴＰ  熱線センサ
【図１】
2005135614.tif 000003
【図２】
2005135614.tif 000004
【図３】
2005135614.tif 000005
【図４】
2005135614.tif 000006